(57)【要約】【課題】読取ヘッドが正確に取付けられたかを明確に表示可能であり、作業の精密度を向上することができ、修理が簡単になり、取付作業が容易になる読取ヘッド用取付位置センサーを提供する。【解決手段】物差しに対応して読取ヘッドに設置され、前記読取ヘッドに設けられる少なくとも三つの感応具を含み、前記感応具は、前記読取ヘッドの前記物差しに対応する端面に設置され、同一の直線に位置されないことを特徴とする読取ヘッド用取付位置センサー。【選択図】図４
2009020041.tif 000002
【特許請求の範囲】
【請求項１】
物差しに対応して読取ヘッドに設置され、前記読取ヘッドに設けられる少なくとも三つの感応具を含み、前記感応具は、前記読取ヘッドの前記物差しに対応する端面に設置され、同一の直線に位置されないことを特徴とする、読取ヘッド用取付位置センサー。
【請求項２】
更に、前記読取ヘッドに信号発生器が少なくとも一つ設けてあり、前記信号発生器が前記各感応具と電気的に接続することを特徴とする、請求項１に記載の読取ヘッド用取付位置センサー。
【請求項３】
前記信号発生器の数量は前記感応具と同じ、且つ前記各信号発生器が前記各感応具とそれぞれ電気的に接続することを特徴とする、請求項２に記載の読取ヘッド用取付位置センサー。
【請求項４】
前記各信号発生器にて発生される信号は光線であることを特徴とする、請求項２に記載の読取ヘッド用取付位置センサー。
【請求項５】
前記各信号発生器は、遠すぎ表示ランプと、正確表示ランプと、近すぎ表示ランプとを有することを特徴とする、請求項４に記載の読取ヘッド用取付位置センサー。
【請求項６】
前記各信号発生器にて発生される信号は音声であることを特徴とする、請求項２に記載の読取ヘッド用取付位置センサー。
【請求項７】
前記信号発生器にディスプレーが設けてあり、前記各信号発生器の信号が前記ディスプレーに表示されることを特徴とする、請求項２に記載の読取ヘッド用取付位置センサー。
【請求項８】
前記感応具はセンサーであることを特徴とする、請求項１に記載の読取ヘッド用取付位置センサー。
【請求項９】
前記感応具は四つあり、且つ前記読取ヘッドの四周に設置されることを特徴とする、請求項１に記載の読取ヘッド用取付位置センサー。
【請求項１０】
前記読取ヘッドには信号発生器が少なくとも一つ設けてあり、前記信号発生器が前記四つの感応具と電気的に接続することを特徴とする、請求項９に記載の読取ヘッド用取付位置センサー。
【請求項１１】
前記信号発生器は四つあり、前記各感応具とそれぞれ電気的に接続することを特徴とする、請求項１０に記載の読取ヘッド用取付位置センサー。
【請求項１２】
前記各信号発生器にて発生される信号は光線であることを特徴とする、請求項１０に記載の読取ヘッド用取付位置センサー。
【請求項１３】
前記各信号発生器は、遠すぎ表示ランプと、正確表示ランプと、近すぎ表示ランプとを有することを特徴とする、請求項１２に記載の読取ヘッド用取付位置センサー。
【請求項１４】
前記各信号発生器にて発生される信号は音声であることを特徴とする、請求項１０に記載の読取ヘッド用取付位置センサー。
【請求項１５】
前記信号発生器にディスプレーが設けてあり、前記各信号発生器の信号が前記ディスプレーに表示されることを特徴とする、請求項１０に記載の読取ヘッド用取付位置センサー。
【請求項１６】
前記感応具はセンサーであることを特徴とする、請求項９に記載の読取ヘッド用取付位置センサー。
【発明の詳細な説明】
【技術分野】
【０００１】
本発明は、リニアモータの読取ヘッドに係り、特に読取ヘッド用取付位置センサーに関するものである。
【背景技術】
【０００２】
従来のリニアモータは可動子の作動の距離をフィードバックするために、可動子に読取ヘッドＡを組付けて、固定子に物差しＢを組付けることが一般であり、前記読取ヘッドＡと物差しＢとにより、可動子と固定子に対する作動の距離を知ることができ、従来の読取ヘッドＡと物差しＢとの相対関係は、図１に示すように、一つの感応具１０と一つの発光具２０とを有し、前記感応具１０が前記発光具２０と電気的に接続しており、前記感応具１０は前記物差しＢを感応するためのものであり、且つ前記物差しＢとの距離が所定値になったときに前記発光具２０を発光させ、前記読取ヘッドＡが正確の位置に取付けられたことをユーザに知らせる。
【０００３】
しかしながら、このような読取ヘッドＡを取り付けるときに、図２と図３とに示したような状態になる場合には、すなわち、読取ヘッドＡの感応具１０と物差しＢとの距離は適当の範囲以内であるが、読取ヘッドＡが前後に又は左右に傾斜しており、この状態であっても発光具２０は依然として発光し、読取ヘッドＡが正確に取付けられたことをユーザに誤表示する。
【発明の開示】
【発明が解決しようとする課題】
【０００４】
しかしながら、このような読取ヘッドＡを取り付けるときに、図２と図３とに示したような状態になる場合には、すなわち、読取ヘッドＡの感応具１０と物差しＢとの距離は適当の範囲以内であるが、読取ヘッドＡが前後に又は左右に傾斜しており、この状態であっても発光具２０は依然として発光し、読取ヘッドＡが正確に取付けられたことをユーザに誤表示する。そうすると、次のような欠点があった。
【０００５】
（イ）読取ヘッドＡと物差しＢとによって可動子の作動距離を測定するときには、読取ヘッドＡが傾斜していると測定のデータに誤差が発生してしまい、高精密度が要求される作製プロセスの場合には、少しの誤差でも製品が不良になり、更に、お客様の要求に満足できなく注文が流失してしまう。
【０００６】
（ロ）発光具２０が発光していないことは、読取ヘッドＡが正確に取付けられていないことを表示するが、技術者は読取ヘッドＡの状態を把握できないので、読取ヘッドＡを重複に組付けることが必要になり、そうすると、工数が膨大になり作業効率が低い。
【課題を解決するための手段】
【０００７】
上記欠点を解決するためになされた本願の発明は、物差しに対応して読取ヘッドに設置され、前記読取ヘッドに設けられる少なくとも三つの感応具を含み、前記感応具は前記読取ヘッドの前記物差しに対応する端面に設置され、同一の直線に位置されないことを特徴とする、読取ヘッド用取付位置センサーであることを要旨としている。
【０００８】
本願の発明では、更に前記読取ヘッドに信号発生器が少なくとも一つ設けてあり、前記信号発生器が前記各感応具と電気的に接続することを特徴とする、請求項１に記載の読取ヘッド用取付位置センサーであることを要旨としている。
【０００９】
本願の発明では、前記信号発生器の数量は前記感応具と同じ、且つ前記各信号発生器が前記各感応具とそれぞれ電気的に接続することを特徴とする、請求項２に記載の読取ヘッド用取付位置センサーであることを要旨としている。
【００１０】
本願の発明では、前記各信号発生器にて発生される信号は光線であることを特徴とする、請求項２に記載の読取ヘッド用取付位置センサーであることを要旨としている。
【００１１】
本願の発明では、前記各信号発生器は、遠すぎ表示ランプと、正確表示ランプと、近すぎ表示ランプとを有することを特徴とする、請求項４に記載の読取ヘッド用取付位置センサーであることを要旨としている。
【００１２】
本願の発明では、前記各信号発生器にて発生される信号は音声であることを特徴とする請求項２に記載の読取ヘッド用取付位置センサーであることを要旨としている。
【００１３】
本願の発明では、前記信号発生器にディスプレーが設けてあり、前記各信号発生器の信号が前記ディスプレーに表示されることを特徴とする、請求項２に記載の読取ヘッド用取付位置センサーであることを要旨としている。
【００１４】
本願の発明では、前記感応具はセンサーであることを特徴とする、請求項１に記載の読取ヘッド用取付位置センサーであることを要旨としている。
【００１５】
本願の発明では、前記感応具は四つあり、且つ前記読取ヘッドの四周に設置されることを特徴とする、請求項１に記載の読取ヘッド用取付位置センサーであることを要旨としている。
【００１６】
本願の発明では、前記読取ヘッドには信号発生器が少なくとも一つ設けてあり、前記信号発生器が前記四つの感応具と電気的に接続することを特徴とする、請求項９に記載の読取ヘッド用取付位置センサーであることを要旨としている。
【００１７】
本願の発明では、前記信号発生器は四つあり、前記各感応具とそれぞれ電気的に接続することを特徴とする、請求項１０に記載の読取ヘッド用取付位置センサーであることを要旨としている。
【００１８】
本願の発明では、前記各信号発生器にて発生される信号は光線であることを特徴とする、請求項１０に記載の読取ヘッド用取付位置センサーであることを要旨としている。
【００１９】
本願の発明では、前記各信号発生器は、遠すぎ表示ランプと、正確表示ランプと、近すぎ表示ランプとを有することを特徴とする請求項１２に記載の読取ヘッド用取付位置センサーであることを要旨としている。
【００２０】
本願の発明では、前記各信号発生器にて発生される信号は音声であることを特徴とする、請求項１０に記載の読取ヘッド用取付位置センサーであることを要旨としている。
【００２１】
本願の発明では、前記信号発生器にディスプレーが設けてあり、前記各信号発生器の信号が前記ディスプレーに表示されることを特徴とする、請求項１０に記載の読取ヘッド用取付位置センサーであることを要旨としている。
【００２２】
本願の発明では、前記感応具はセンサーであることを特徴とする、請求項９に記載の読取ヘッド用取付位置センサーであることを要旨としている。
【発明の効果】
【００２３】
本発明の読取ヘッド用取付位置センサーによれば、次のような効果がある。
（イ）読取ヘッドが正確に取付けられたかを明確に表示可能であり、作業の精密度を向上することができる。
【００２４】
（ロ）修理が簡単になり、取付作業が容易になる。
【発明を実施するための最良の形態】
【００２５】
以下、添付図面を参照して本発明の好適な実施の形態を詳細に説明する。
【００２６】
まず、図４を参照する。本発明の読取ヘッド用取付位置センサーは、物差しＢに対応して読取ヘッドＡに設置され、なお、読取ヘッドＡと物差しＢとはリニアモータに設けてもよく、また本発明の実施例の読取ヘッド用取付位置センサーは、四つの感応具１０と、四つの信号発生器３０とを含む。
【００２７】
前記四つの感応具１０は、前記読取ヘッドＡに設けられ、且つ前記読取ヘッドＡの前記物差しＢに対応する端面に設置され、それぞれ前記読取ヘッドＡの四周（前後左右）に設置され、また、前記各感応具１０はセンサーでもよく、前記物差しＢを同時に感応および測定をすることができる。
【００２８】
前記四つの信号発生器３０は、前記読取ヘッドＡに設けられ、前記四つの感応具１０が前記読取ヘッドＡの反対端面に設けられ、前記信号発生器３０は前記四つの感応具１０とそれぞれ電気的に接続し、本実施例では、前記四つの信号発生器３０は、前側、左側、右側と後側に位置している感応具１０とそれぞれ電気的に接続し、光線により前記各感応具１０と前記物差しＢとの距離を表示し、且つ遠すぎ表示ランプ３１と、正確表示ランプ３２と、近すぎ表示ランプ３３と、を有する。
【００２９】
前記読取ヘッドＡが正確に取り付けられた場合には、図５と図６に示すように、前記各感応具１０は前記物差しＢとの距離が適当であると感応して、図７に示すように、これらの信号発生器３０の正確表示ランプ３２が全て発光するようになり、これにより、ユーザは前記読取ヘッドＡの取付距離と取付角度とが正確であることを知る。
【００３０】
逆に、前記読取ヘッドＡが正確に取り付けられない場合には、図８と図９に示すように、前記読取ヘッドＡが傾斜している状態になり、且つ前側と右側との各感応具１０と前記物差しＢとの距離が近すぎ、且つ後側と左側との各感応具１０と前記物差しＢとの距離が遠すぎであり、図１０に示すように、前側と右側との信号発生器３０の近すぎ表示ランプ３３が全て発光するようになり、且つ後側と左側との信号発生器３０の遠すぎ表示ランプ３１が全て発光するようになり、これにより、ユーザは、前記読取ヘッドＡが正確に取り付けられないことを知り、すなわち、前側と右側との各感応具１０と前記物差しＢとの距離が近すぎ、且つ後側と左側との各感応具１０と前記物差しＢとの距離が遠すぎであることを知り、次の修正作業を容易に施すことができる。
【図面の簡単な説明】
【００３１】
【図１】従来の読取ヘッドの概略図
【図２】従来の読取ヘッドが傾斜している状態を示す側面図
【図３】従来の読取ヘッドが傾斜している状態を示す正面図
【図４】本発明の実施例の斜視図
【図５】本発明の実施例の読取ヘッドが正確に取付けられた状態を示す側面図
【図６】本発明の実施例の読取ヘッドが正確に取付けられた状態を示す正面図
【図７】本発明の実施例の読取ヘッドが正確に取付けられて信号発生器が発光している状態を示す概略図
【図８】本発明の実施例の読取ヘッドが傾斜している状態を示す側面図
【図９】本発明の実施例の読取ヘッドが傾斜している状態を示す正面図
【図１０】本発明の実施例の読取ヘッドが傾斜に取付けられて信号発生器が発光している状態を示す概略図
【符号の説明】
【００３２】
Ａ        読取ヘッド                      
Ｂ        物差し
１０      感応具                          
２０      発光具
３０      信号発生器                      
３１      遠すぎ表示ランプ
３２      正確表示ランプ                  
３３      近すぎ表示ランプ
【図１】
2009020041.tif 000003
【図２】
2009020041.tif 000004
【図３】
2009020041.tif 000005
【図４】
2009020041.tif 000006
【図５】
2009020041.tif 000007
【図６】
2009020041.tif 000008
【図７】
2009020041.tif 000009
【図８】
2009020041.tif 000010
【図９】
2009020041.tif 000011
【図１０】
2009020041.tif 000012